(57)【要約】【課題】  カシメ座自体の加工を容易なものとし、製造価格を極力下げる。【解決手段】  光ファイバケーブル１０の光ファイバ１１を挿入固定するフェルール２を保持するホルダ３と、ホルダ３を前方に付勢するスプリング５を支持するストップリング６と、ストップリング６を挿入固定するプラグフレーム４と、光ファイバケーブル１０、同ケーブル１０内の抗張力線１２それぞれを保持するよう光ファイバケーブル１０の外皮固定用のカシメリング７、光ファイバ固定用のカシメ座８それぞれによって形成して成るカシメ部材９とを備える。カシメ座８は、互いに内径の異なる二つの筒体を接着・溶接・圧入等の固着手段でもって組み合わせることによって、共通の内径を有した肉厚の抗張力線保持筒部２１と肉薄の外皮保持筒部２２とが段差２４を介して前後位置に連設した形状となるようにする。【選択図】          図１
2005227422.tif 000002
【特許請求の範囲】
【請求項１】
光ファイバケーブルの光ファイバが挿入されて固定されるフェルールを先端に保持するホルダと、ホルダを前方に付勢するスプリングの後端を支持するストップリングと、ストップリングが挿入状態で固定されるプラグフレームと、ストップリングの内部に保持された状態で光ファイバケーブル、同ケーブル内の抗張力線それぞれを保持するよう光ファイバケーブルの外皮固定用のカシメリング、光ファイバ固定用のカシメ座それぞれによって形成されて成るカシメ部材とを備え、前記カシメ座は、互いに内径の異なる二つの筒体を固着し、共通の内径を有した肉厚の抗張力線保持筒部と肉薄の外皮保持筒部とが段差を介して前後位置に連設された形状となるようにすることを特徴とした光コネクタ用カシメ座の製造方法。
【請求項２】
前記カシメ座は、外管の内径部に、該外管よりも長い内管を嵌挿、固着することで、共通の内径を有した肉厚の抗張力線保持筒部と肉薄の外皮保持筒部とが段差が形成されるものとする請求項１記載の光コネクタ用カシメ座の製造方法。
【請求項３】
前記カシメ座は、外管の内径部に、該外管と同一長さの内管を嵌挿、固着しておき、外管の端部側一部を切削除去して内管の一部を露出させることで、共通の内径を有した肉厚の抗張力線保持筒部と肉薄の外皮保持筒部とが段差が形成されるものとする請求項１記載の光コネクタ用カシメ座の製造方法。
【請求項４】
互いに内径の異なる二つの筒体を接着・溶着・圧入等の何れか１つあるいは複数組み合せによって固着することを特徴とする請求項１乃至３何れかに記載の光コネクタ用カシメ座の製造方法。
【発明の詳細な説明】
【技術分野】
【０００１】
本発明は、光ファイバケーブルに装着される光ファイバ接続用の光コネクタにおいて、光ファイバケーブルおよび同ケーブル内に収納されている抗張力線を保持するカシメ部材を有する光コネクタ用カシメ座の製造方法に関する。
【背景技術】
【０００２】
光ケーブルは、光ファイバの外側に抗張力線が配置されると共に、抗張力線の外側が合成樹脂から成る外皮によって覆われた状態となっている。この光ファイバケーブルが装着される従来の光コネクタは、光ファイバケーブルの光ファイバを固定するためにフェルールを保持するホルダと、ホルダを前方に付勢するスプリングと、スプリングの後端を支持するストップリングと、ストップリングが挿入状態で固定されるプラグフレームと、ストップリング内に挿入されて光ファイバケーブルおよび同ケーブル内の抗張力線をかしめて固定するカシメ部材とを備えている。カシメ部材は、光ファイバケーブルの外皮を固定するための金属製のカシメリングと、カシメリング内に位置して光ファイバを固定するカシメ座とによって形成されている（特許文献１参照）。
【０００３】
この従来の光コネクタにおいて、本出願人自身は、上記カシメ座が、共通の内径を有した肉厚の抗張力線保持筒部と肉薄の外皮保持筒部とが段差を介して前後位置に連設された形状となるように一体成形して成る光コネクタ（特願２００３−１０６４５３号）を提案した。
【特許文献１】特開２００１−１４１９６０号公報
【発明の開示】
【発明が解決しようとする課題】
【０００４】
しかしながら、上記カシメ座は、共通の内径を有した肉厚の抗張力線保持筒部と肉薄の外皮保持筒部とが段差を介して前後位置に連設された形状となるように、単一材質による部材を一体加工して構成されているため、カシメ座自体の加工が難しく、しかも製造価格が上がる要因となる。
【０００５】
そこで、本発明は、叙上のような従来存した諸事情に鑑み創出されたもので、共通の内径を有した肉厚の抗張力線保持筒部と肉薄の外皮保持筒部とが段差を介して前後位置に連設された形状となるように一体成形して成るカシメ座製造過程において、カシメ座自体の加工を容易なものとし、しかも製造価格を極力下げることができる光コネクタ用カシメ座の製造方法を提供することを目的とする。
【課題を解決するための手段】
【０００６】
上述した課題を解決するため、本発明にあっては、光ファイバケーブルの光ファイバが挿入されて固定されるフェルールを先端に保持するホルダと、ホルダを前方に付勢するスプリングの後端を支持するストップリングと、ストップリングが挿入状態で固定されるプラグフレームと、ストップリングの内部に保持された状態で光ファイバケーブル、同ケーブル内の抗張力線それぞれを保持するよう光ファイバケーブルの外皮固定用のカシメリング、光ファイバ固定用のカシメ座それぞれによって形成されて成るカシメ部材とを備え、前記カシメ座は、互いに内径の異なる二つの筒体を固着し、共通の内径を有した肉厚の抗張力線保持筒部と肉薄の外皮保持筒部とが段差を介して前後位置に連設された形状となるようにすることを特徴とする。
【０００７】
前記カシメ座は、外管の内径部に、該外管よりも長い内管を嵌挿、固着することで、共通の内径を有した肉厚の抗張力線保持筒部と肉薄の外皮保持筒部とが段差が形成されるものとする。
【０００８】
前記カシメ座は、外管の内径部に、該外管と同一長さの内管を嵌挿、固着しておき、外管の端部側一部を切削除去して内管の一部を露出させることで、共通の内径を有した肉厚の抗張力線保持筒部と肉薄の外皮保持筒部とが段差が形成されるものとする。
【０００９】
互いに内径の異なる二つの筒体を接着・溶着・圧入等の何れか１つあるいは複数組み合せによって固着することを特徴とする。
【００１０】
以上のように構成された本発明に係る光コネクタ用カシメ座の製造方法にあって、互いに内径の異なる二つの筒体を接着・溶接・圧入等の固着手段でもって組み合わせることにより、カシメ座自体を、共通の内径を有した肉厚の抗張力線保持筒部と肉薄の外皮保持筒部とが段差を介して形成される。
【００１１】
また、光ファイバケーブルの外皮がカシメ座に形成した肉薄の外皮保持筒部に保持され、この保持状態でカシメリングを外側からかしめると、段差を介して連設されている肉厚の抗張力線保持筒部に比べて肉薄となっている外皮保持筒部が円滑にかしめられることのために、肉薄の外皮保持筒部を介して外皮に均等にかしめ力を作用させる。
【発明の効果】
【００１２】
本発明によれば、共通の内径を有した肉厚の抗張力線保持筒部と肉薄の外皮保持筒部とが段差を介して前後位置に連設された形状となるように一体成形して成るカシメ座の製造方法において、カシメ座自体の加工を容易なものとし、しかも製造価格を極力下げることができる。
【発明を実施するための最良の形態】
【００１３】
以下図面を参照して本発明を実施するための最良の一形態を説明すると、図において示される符号１は、光ファイバケーブルおよび同ケーブル内に収納されている抗張力線を保持するためのカシメ部材を有する光コネクタであり、該光コネクタ１は、図１、図２に示すように、先端側（左端側）から後端側（右端側）にかけてフェルール２、ホルダ３、プラグフレーム４、スプリング５、ストップリング６が順に配置されることにより構成されており、光ファイバケーブル１０はこれら各部品の内部に挿入されている。また、プラグフレーム４およびストップリング６の外側にはツマミ１４がスライド自在に設けられている。
【００１４】
光ファイバケーブル１０は、図９に示すように、内側の光ファイバ１１と、光ファイバ１１外側を覆う抗張力線１２と、抗張力線１２の外側を覆う合成樹脂から成る外皮１３とによって形成されている。
【００１５】
フェルール２は、光ファイバケーブル１０の光ファイバ１１の先端が挿入後、接着剤等で接着されることにより光ファイバ１１を固定するものである。このフェルール２は、図１に示すように、光コネクタ１の先端から突出するようホルダ３の先端に保持される。また、フェルール２は、図２に示すフェルールキャップ１５に覆われることによりその保護がなされている。
【００１６】
スプリング５はコイルばねからなり、ホルダ３およびストップリング６の間に挟まれるように配置されることにより、その後端がストップリング６内の突壁に支持されている。このようにストップリング６内の突壁に後端が支持されることにより、スプリング５はホルダ３を前方に付勢するように作用する。
【００１７】
プラグフレーム４には、ホルダ３、スプリング５およびストップリング６の前方部分が挿入されている。この場合、ストップリング６の前方部分における外面には、図１、図２に示すように係合凸部６ａが形成されており、この係合凸部６ａがプラグフレーム４の係合孔部４ａに係合している。この係合により、プラグフレーム４に対してストップリング６が固定され、これらの抜け止めが行われている。
【００１８】
ストップリング６の後方部分は、外側に膨出することによりリアプリアッセ１６となっており、このリアプリアッセ１６の後端部分にゴム等から成るブーツ１７が取り付けられている。
【００１９】
ストップリング６の内部には、共に金属から成るカシメリング７およびカシメ座８が配置されている。これらのカシメリング７およびカシメ座８は、光ファイバケーブル１０と同ケーブル１０の抗張力線１２とを保持するカシメ部材９を構成するものである。
【００２０】
カシメリング７は、図３乃至図５に示すように、円筒状に形成され、その内部に光ファイバケーブル１０が貫通状に挿入されることにより、光ファイバケーブル１０の外皮１３を固定する。外皮１３の固定は、カシメリング７を外側からかしめることにより行われるものである。このカシメリング７の後部には、肉薄状の凹部７ａが円周上の４箇所に形成され、カシメリング７を外側からかしめる際の圧力によって光ファイバケーブル１０に食い込み、この食い込みによって光ファイバケーブル１０の抜けを防止するように作用するものとしてある。
【００２１】
カシメ座８は、図６乃至図８に示すように、互いに内径の異なる二つの筒体を適宜の固着手段、例えば接着・溶接・圧入の何れかでもって組み合わせることによって、共通の内径を有した肉厚の抗張力線保持筒部２１（ホルダ３側）と肉薄の外皮保持筒部２２（ブーツ１７側）とが段差２４を介して前後位置に同軸となって連設された形状となるように構成してある。そして、図９に示すように、カシメ座８は、カシメリング７の内部に挿入され、このカシメ座８には、光ファイバケーブル１０の光ファイバ１１が挿入されることにより、光ファイバ１１を固定するものである。このときの固定は、カシメリング７をかしめる際のかしめ力によって行われる。なお、複数の固着手段、例えば接着と圧入とを兼用することも可能である。
【００２２】
カシメ座８の具体的な製造方法の一例としては、図１０に示すように、例えば同一材質による管部材でもって、抗張力線保持筒部２１に相当する長さを有する外管３１と、外管３１の内径部に嵌挿される程度の外径を有し、外管３１に嵌挿された状態で外皮保持筒部２２に相当する長さだけを露出させるようにした内管３２とを形成する。そして、外管３１の内径部に内管３２を嵌挿しておき、内管３２の内径部に挿入された芯金３３を介して外管３１の外周全体を適宜の圧縮工具で内径方向へ圧入させることで外管３１と内管３２とを一体化させて段差２４が形成されるものとしてある。
【００２３】
また、カシメ座８の他の具体的な製造方法としては、図１１に示すように、外管３１の内径部に、該外管３１と同一長さの内管３２を嵌挿してから、内管３２に挿入された芯金３３を介して外管３１の外周全体を内径方向へ圧入させるか、あるいは両管３１、３２の一端開口側同士を接着もしくは溶接等で固定することで、全体を二重管構造となるように予め作製しておく。そして、外管３１の抗張力線保持筒部２１に相当する部分を残して切削工具３４で切断し、外管３１の外皮保持筒部２２に相当する端部側一部を抜脱除去し、外皮保持筒部２２に相当する内管３２の一部を露出させることで段差２４が形成されるものとしてある。
【図面の簡単な説明】
【００２４】
【図１】本発明を実施するための最良の形態を示す光コネクタ全体の部分断面図である。
【図２】同じく光コネクタの分解側面図である。
【図３】同じくカシメリングの部分断面図である。
【図４】図４の右側面図である。
【図５】図４の左側面図である。
【図６】カシメ座の側面図である。
【図７】図６の右側面図である。
【図８】カシメ座の断面図である。
【図９】カシメ部材と光ファイバケーブルとの接続構造を示す拡大した断面図である。
【図１０】カシメ座の製造方法を説明するもので、（ａ）は外管の内径部に内管を嵌挿する状態の断面図、（ｂ）は外管の外周全体を内径方向へ圧入する状態の断面図である。
【図１１】カシメ座の他の製造方法を説明するもので、（ａ）は外管の内径部に内管を嵌挿した状態の断面図、（ｂ）は外管の外皮保持筒部に相当する端部側一部を抜脱除去した状態の断面図である。
【符号の説明】
【００２５】
１    光コネクタ
２    フェルール
３    ホルダ
４    プラグフレーム
５    スプリング
６    ストップリング
７    カシメリング
８    カシメ座
９    カシメ部材
１０  光ファイバケーブル
１１  光ファイバ
１２  抗張力線
１３  外皮
２１  抗張力線保持筒部
２２  外皮保持筒部
２４  段差
３１  外管
３２  内管
３３  芯金
【図１】
2005227422.tif 000003
【図２】
2005227422.tif 000004
【図３】
2005227422.tif 000005
【図４】
2005227422.tif 000006
【図５】
2005227422.tif 000007
【図６】
2005227422.tif 000008
【図７】
2005227422.tif 000009
【図８】
2005227422.tif 000010
【図９】
2005227422.tif 000011
【図１０】
2005227422.tif 000012
【図１１】
2005227422.tif 000013